(57)【要約】【課題】本発明は利用者が簡便に画像処理条件を入力できる画像処理装置を提供することを目的とする。【解決手段】原稿の画像を読み込む原稿読取部１１０と、原稿載置台に置かれた原稿の向きを検出する向き検出部１１３と、原稿読取部１１０によって読み込まれた原稿の画像を処理する条件である画像処理条件を表示する表示部１２１と、画像処理部１０４と、原稿の向き毎に、異なる画像処理条件を対応させた情報である表示階層情報テーブル１３１と、を有する画像処理装置であって、画像処理部１０４は、向き検出部１１３が検出した原稿の向きをキーに、表示階層情報テーブル１３１から画像処理条件を選択し、選択した画像処理条件を表示部１２１に表示することを特徴とする。【選択図】図１
2011097228.tif 000002
【特許請求の範囲】
【請求項１】
原稿載置台に載置された原稿の画像を読み込む原稿読込部と、
前記原稿載置台に載置された原稿の向きを検出する原稿向き検出部と、
前記原稿読込部によって読み込まれた原稿の画像を処理する条件である画像処理条件を表示する表示部と、
情報を処理する処理部と、
前記原稿の向き毎に、異なる前記画像処理条件を対応させた情報である画像処理条件情報を格納している記憶部と、
を有する画像処理装置であって、
前記処理部は、
前記原稿向き検出部が検出した原稿の向きをキーに、前記画像処理条件情報から前記画像処理条件を選択し、前記選択した画像処理条件を前記表示部に表示する
ことを特徴とする画像処理装置。
【請求項２】
前記原稿の向きは、ＳＥＦおよびＬＥＦである
ことを特徴とする請求項１に記載の画像処理装置。
【請求項３】
前記原稿向き検出部は、前記原稿載置台に前記原稿が載置された時に前記原稿の向きを検出する
ことを特徴とする請求項１に記載の画像処理装置。
【請求項４】
前記原稿載置台は、ＡＤＦまたはプラテンガラスである
ことを特徴とする請求項１に記載の画像処理装置。
【請求項５】
第１原稿載置台に載置された前記第１の原稿の画像を読み込む第１原稿読込部と、
第２原稿載置台に載置された前記第２の原稿の画像を読み込む第２原稿読込部と、
前記第１原稿載置台に原稿が載置されたことを検出する第１原稿有無検出部と、
前記第２原稿載置台に原稿が載置されたことを検出する第２原稿有無検出部と、
前記第１原稿読込部または前記第２原稿読込部によって読み込まれた前記原稿の画像を処理する条件である画像処理条件を表示する表示部と、
情報を処理する処理部と、
前記第１原稿載置台および前記第２原稿載置台毎に、異なる前記画像処理条件を対応させた情報である画像処理条件情報が格納されている記憶部と、
を有する画像処理装置であって、
前記処理部は、
前記第１原稿有無検出部または前記第２原稿有無検出部によって、前記第１原稿載置台または前記第２原稿載置台に前記原稿が載置されたことを検出すると、前記検出の結果に基づいて、前記画像処理条件情報から前記画像処理条件を選択し、前記選択した画像処理条件を前記表示部に表示する前記画像処理条件を切り替える
ことを特徴とする画像処理装置。
【請求項６】
前記第１原稿載置台および前記第２原稿載置台の一方はＡＤＦであり、他方はプラテンガラスである
ことを特徴とする請求項５に記載の画像処理装置。
【請求項７】
前記第１原稿載置台に載置された原稿の向きを検出する第１原稿向き検出部と、
前記第２原稿載置台に載置された原稿の向きを検出する第２原稿向き検出部と、
を有し、
前記画像処理条件情報は、前記第１原稿向き検出部から検出された原稿向きおよび前記第２原稿向き検出部から検出された原稿向き毎に、異なる前記画像処理条件が、さらに格納されており、
前記処理部は、
前記第１原稿向き検出部または前記第２原稿向き検出部が検出した原稿の向きをキーに、前記画像処理条件情報から前記画像処理条件を選択し、前記選択した画像処理条件を前記表示部に表示する
ことを特徴とする請求項５に記載の画像処理装置。
【請求項８】
前記第１原稿向き検出部と前記第２原稿向き検出部が検出する原稿の向きは、ＳＥＦおよびＬＥＦである
ことを特徴とする請求項７に記載の画像処理装置。
【請求項９】
請求項１から請求項８のいずれか一項に記載の画像処理装置を備える
ことを特徴とする画像形成装置。
【発明の詳細な説明】
【技術分野】
【０００１】
本発明は、画像処理条件を入力するための画面表示手段と操作手段を有し、入力された画像処理条件に基づいて画像処理を行う画像処理装置および画像形成装置に関するものである。
【背景技術】
【０００２】
一般に、複合コピー機などの画像処理装置は、操作と表示を行うための操作パネルを装備しており、画像処理条件を指示するための一つの手段が、この操作パネルからの入力である。画像処理装置は多くの画像処理条件を備え、利用者がパネルから正確に画像処理条件を入力することにより、意図する画像処理結果が得られる。
【０００３】
特許文献１には、ドライバと操作パネルに表示されている言語を同一にしたい場合において、一度の言語指定でドライバの言語と、操作パネルの言語とを決定するインストール方法、インストーラプログラムおよびコンピュータ読み取り可能な記録媒体が開示されている。
【先行技術文献】
【特許文献】
【０００４】
【特許文献１】特開２００９−７６００５号公報
【発明の概要】
【発明が解決しようとする課題】
【０００５】
しかしながら、原稿に応じて、利用者が正確に画像処理条件を入力することについては、手間が掛かる。
このような課題を鑑みて、本発明は利用者が簡便に画像処理条件を入力できる画像処理装置および画像形成装置を提供することを目的とする。
【課題を解決するための手段】
【０００６】
前記した課題を解決するため、本発明の一の手段は、原稿載置台に載置された原稿の画像を読み込む原稿読込部と、前記原稿載置台に載置された原稿の向きを検出する原稿向き検出部と、前記原稿読込部によって読み込まれた原稿の画像を処理する条件である画像処理条件を表示する表示部と、情報を処理する処理部と、前記原稿の向き毎に、異なる前記画像処理条件を対応させた情報である画像処理条件情報を格納している記憶部と、を有する画像処理装置であって、前記処理部は、前記原稿向き検出部が検出した原稿の向きをキーに、前記画像処理条件情報から前記画像処理条件を選択し、前記選択した画像処理条件を前記表示部に表示することを特徴とする。
【０００７】
さらに、本発明の他の手段は、第１原稿載置台に載置された前記第１の原稿の画像を読み込む第１原稿読込部と、第２原稿載置台に載置された前記第２の原稿の画像を読み込む第２原稿読込部と、前記第１原稿載置台に原稿が載置されたことを検出する第１原稿有無検出部と、前記第２原稿載置台に原稿が載置されたことを検出する第２原稿有無検出部と、前記第１原稿読込部または前記第２原稿読込部によって読み込まれた前記原稿の画像を処理する条件である画像処理条件を表示する表示部と、情報を処理する処理部と、前記第１原稿載置台および前記第２原稿載置台毎に、異なる前記画像処理条件を対応させた情報である画像処理条件情報が格納されている記憶部と、を有する画像処理装置であって、前記処理部は、前記第１原稿有無検出部または前記第２原稿有無検出部によって、前記第１原稿載置台または前記第２原稿載置台に前記原稿が載置されたことを検出すると、前記検出の結果に基づいて、前記画像処理条件情報から前記画像処理条件を選択し、前記選択した画像処理条件を前記表示部に表示する前記画像処理条件を切り替えることを特徴とする。
【０００８】
また、本発明のほかの手段は、前記した画像処理装置を備えることを特徴とする画像形成装置である。
【発明の効果】
【０００９】
本発明によれば、本発明は利用者が簡便に画像処理条件を入力できる画像処理装置および画像形成装置を提供することができる。
【図面の簡単な説明】
【００１０】
【図１】第１実施形態に係る画像処理装置の機能ブロック図の例である。
【図２】本実施形態に係る画像処理装置の斜視概略図である。
【図３】本実施形態に係る画像処理装置のプラテンガラスの構成例を示す図である。
【図４】第１実施形態に係る表示画面の例を示す図である。
【図５】第１実施形態に係る表示階層情報テーブルの例を示す図である。
【図６】第１実施形態に係る画像処理の流れを示すフローチャートである。
【図７】本実施形態に係る画面レイアウト処理の流れを示すフローチャートである。
【図８】第２実施形態に係る画像処理装置の機能ブロック図の例である。
【図９】第２実施形態に係る表示画面の例を示す図である。
【図１０】第２実施形態に係る表示階層情報テーブルの例を示す図である。
【図１１】第２実施形態に係る原稿読取処理の流れを示すフローチャートである。
【発明を実施するための形態】
【００１１】
以下に、図面を参照して本発明による画像処理装置の実施形態について説明する。なお、本実施形態では、画像処理装置の例として複合コピー機（ＭＦＰ（Multifunction Peripheral））を想定して説明することとする。
【００１２】
《第１実施形態》
まず、図１から図７を参照して、本発明に係る第１実施形態を説明する。
【００１３】
（機能ブロック図）
図１は、第１実施形態に係る画像処理装置の機能ブロック図の例である。
画像処理装置（複合コピー機、画像形成装置）１００は、装置管理部（処理部）１０２、印刷部１０３、画像処理部（処理部）１０４、記憶部１０５、Ｉ／Ｆ（Interface）部１０６、原稿読取部１１０および操作パネル部１２０を備え、各部１０２〜１０６，１１０，１２０はバス１０１を介して接続されている。
装置管理部１０２は、各部１０３〜１０６，１１０，１２０の動作や装置全体の状況を統括管理し、また装置内で発生する各種イベントに対する実行管理を行う機能を有している。画像処理部１０４は読み取られた原稿情報や上位から受信した印刷情報などの画像データを出力手段に合わせて加工する機能を有する。Ｉ／Ｆ部１０６は、外部とのデータの送受信を行い、ローカルエリアネットワークやＵＳＢ（Universal Serial Bus）などを介したデータ通信や、アナログ通信回線網を介しファクス通信などを行う機能を有する。記憶部１０５は、画像処理装置１００内のさまざまな情報を保存するメモリブロックであり、操作パネル部１２０に表示する画面データの記憶領域として用いる。なお、記憶部１０５には、図５を参照して後記する表示階層情報テーブル（画像処理条件情報）１３１が格納されている。
【００１４】
原稿読取部（原稿読込部）１１０は、プラテンガラス（以下、適宜プラテンと称する）やＡＤＦ（Auto Document Feeder）などの原稿載置台に載置された原稿情報を読み取る機能を有している。印刷部１０３は、画像データを記録紙上に形成する機能を有する。操作パネル部１２０は、利用者への指示や情報を出力するためのＬＣＤ（Liquid Crystal Display）を備えるタッチパネルなどの表示デバイスであり、複写設定項目（画像処理条件）を表示する表示部１２１と、利用者からの指示や情報を入力するためのタッチパネルやキーボードなどの入力デバイスであり、表示されている複写設定項目を押下することによって画像処理条件を入力する操作部１２２とを有している。
【００１５】
そして、原稿読取部１１０は、原稿の有無を検出する有無検出部１１１、原稿のサイズを検出するサイズ検出部１１２、および原稿の向き（方向）を検出する向き検出部（原稿向き検出部）１１３を有している
【００１６】
なお、各部１０２，１０４は、図示しないＲＯＭ（Read Only Memory）などに格納されたプログラムが、ＲＡＭ（Random Access Memory）に展開され、ＣＰＵ（Central Processing Unit）によって実行されることによって具現化する。
【００１７】
（外観図）
図２は、本実施形態に係る画像処理装置の斜視概略図である。
画像処理装置１００は、大別して、読取ユニット１５１、印刷ユニット１５２、操作パネルユニット１５３、通信ユニット１５４を有している。
読取ユニット１５１は、ＬＥＤ（Light Emitting Diode）（線状光源）やＣＣＤ（Charge Coupled Device）などの読取センサを有するスキャナ装置であり、原稿を読み取って電気信号に変換し、さらにイメージデータに変換する機能を有する。なお、読取ユニット１５１は、図１の原稿読取部１１０に相当する構成である。
印刷ユニット１５２は、電子写真方式を利用したのプリンタ装置であり、読取ユニット１５１で読み取られた画像データや、通信ユニット１５４が受信した通信回線や外部インタフェースからのデータを印刷する機能を有する。なお、印刷ユニット１５２は、図１の印刷部１０３に相当する構成である。
操作パネルユニット１５３は、画像処理条件の各種設定や装置の状態等を表示する表示ユニット１５５と、装置への命令を入力するための操作ユニットとを備えている。なお、操作パネルユニット１５３は、図１の操作パネル部１２０に相当する構成である。なお、表示ユニット１５５は、図１の表示部１２１に相当する構成である。
また、通信ユニット１５４は、画像処理装置１００の背面に配置されているため、図２では隠れている。
【００１８】
（プラテンガラス）
図３は、本実施形態に係る画像処理装置のプラテンガラスの構成例を示す図である。
プラテンガラス２００は、図２に示す読取ユニット１５１の一部を構成しているものである。プラテンガラス２００は、ガラス部２０１と、ＣＣＤなどの読取センサ２０２と、フォトセンサなどからなる複数の原稿検出センサ２０３，２０４，２０５を有している。
図１の有無検出部１１１は、原稿検出センサ２０３〜２０５の出力状態の変化からプラテンガラス２００上の原稿の有無を検出する。
そして、図１のサイズ検出部１１２と向き検出部１１３は、原稿検出センサ２０３〜２０５の出力状態の組合せから原稿のサイズと向きを検出する。
例えば、原稿検出センサ２０３，２０４が原稿を検出している場合、サイズ検出部１１２および向き検出部１１３は、原稿のサイズと向きをＡ４サイズのＬＥＦ（Long Edge Feed：横方向給紙）向きと判定する。また、原稿検出センサ２０３，２０５が原稿を検出している場合、サイズ検出部１１２および向き検出部１１３は、原稿のサイズと向きをＡ４サイズのＳＥＦ（Short Edge Feed：縦方向給紙）向きと判定する。さらに、原稿検出センサ２０３，２０４，２０５のすべてが原稿を検出している場合、サイズ検出部１１２および向き検出部１１３は、原稿のサイズと向きをＡ３サイズのＳＥＦ向きと判定する。
【００１９】
この原稿有無検出、サイズ検出および向き検出は既存の技術である。ここでは、複数の原稿検出センサを装備している例について説明したが、読取センサ２０２において検出される原稿幅と１つの原稿センサ２０５の状態の組合せより検出する方法であってもよい。
【００２０】
第１実施形態では、原稿読取部１１０（原稿読取ユニット１５１）の例として、プラテンガラス２００をあげたが、これに限らず、前記したようにＡＤＦでもよい。この場合、ＡＤＦの原稿配置部に備えられている複数の原稿検出センサによって、原稿のサイズおよび向きが検出されることとなる。
【００２１】
（表示画面例）
図４は、第１実施形態に係る表示画面の例を示す図である。
図４（ａ）に示す表示画面３０１は、画像処理装置１００（図１）が待機状態の時や、原稿向きがＬＥＦの時において表示部１２１（図１）に表示される基本画面の第１階層画面であり、基本的な複写設定項目（画像処理条件）のみが表示されている。
表示画面３０１の応用機能ボタン３１１がユーザによって押下されると、表示部１２１には図４（ｂ）に示す第２階層画面である表示画面３０２が表示される。表示画面３０２には、表示画面３０１には表示されていない、その他の複写設定項目が表示されている。図４（ｂ）には、見開きボタン３１２および中心消去ボタン３１３が表示されている。
【００２２】
図４（ｃ）に示す表示画面３０３は、原稿台に載置された原稿の向きがＳＥＦの時に表示される第１階層画面である。表示画面３０３と、表示画面３０１との差異は以下の通りである。すなわち、表示画面３０３では、ＳＥＦ向きにて利用可能となる見開き原稿が載置された可能性を画像処理装置１００が推測して、見開き原稿からのページ分割機能を意味する見開きボタン３２１と、見開き原稿を読み取った画像の中心位置に現れる黒い帯を消去するための中心消去ボタン３２２を優先的に表示している。そして、表示画面３０３における応用機能ボタン３２３が押下されると、第２階層画面である表示画面３０４（図４（ｄ））が表示される。表示画面３０２と、表示画面３０４との差異は、表示画面３０２に表示されている見開きボタンと中心消去ボタンが、表示画面３０４では第１階層の表示画面３０３に表示されているため表示されていない点である。
【００２３】
なお、原稿読取部１１０（原稿読取ユニット１５１）としてＡＤＦを用いた場合、第１階層にＮｕｐボタンを優先表示する形式としてもよい。Ｎｕｐとは、複数枚の原稿を読み取って、１枚の記録紙上にＮ個分の画像を順番に配置して複写する機能である。
【００２４】
（表示階層情報テーブル）
図５は、第１実施形態に係る表示階層情報テーブルの例を示す図である。
表示階層情報テーブル１３１には、複写設定項目のボタン名称と、基本画面（基本）およびＳＥＦ載置時の画面（ＳＥＦ載置）における各ボタンの表示階層情報が格納されている。
複写設定項目のボタン名称列は、表示パネル部上に表示する全ボタンの種類を示し、表示階層は、第１階層または第２階層を意味する情報を示す。例えば、「見開き」ボタンは、基本画面では第２階層に表示し、原稿がＳＥＦで載置された場合には第１階層に表示される。
【００２５】
（処理手順）
次に、図１を参照しつつ、図６および図７に沿って本実施形態に係る画像処理を説明する。
図６は、第１実施形態に係る画像処理の流れを示すフローチャートである。
なお、図６に示す処理は、画像処理装置１００の電源がＯＮになると同時に開始され、電源がＯＦＦになると終了するものである。
まず、原稿読取部１１０の有無検出部１１１が原稿台上の原稿有無を検出（Ｓ１０１）し、原稿読取部１１０に原稿が載置されているか否かを判定する（Ｓ１０２）。
ステップＳ１０２の結果、原稿が載置されていない場合（Ｓ１０２→Ｎｏ）、画像処理部１０４は表示階層情報テーブル１３１の「基本」列を参照して、基本画面レイアウト作成処理を行う（Ｓ１０３）。その後、作成した画面表示データを表示部１２１に表示して画面表示を切り替え（Ｓ１０９）、装置管理部１０２はステップＳ１０１へ処理を戻す。なお、ステップＳ１０３の処理は、図７を参照して後記する。
ステップＳ１０２の結果、原稿が載置されている場合（Ｓ１０２→Ｙｅｓ）、サイズ検出部１１２が、原稿読取部１１０に載置された原稿サイズを検出し（Ｓ１０４）、原稿が定形サイズであるか否かを判定する（Ｓ１０５）。
【００２６】
ステップＳ１０５の結果、原稿が不定形サイズの場合（Ｓ１０５→Ｎｏ）、利用可能な複写機能が制限されることから、画像処理部１０４は基本画面レイアウト処理を行う（Ｓ１０３）。その後、作成した画面表示データを表示部１２１に表示して画面表示を切り替え（Ｓ１０９）、装置管理部１０２はステップＳ１０１へ処理を戻す。
ステップＳ１０５の結果、原稿が定形サイズの場合（Ｓ１０５→Ｙｅｓ）、向き検出部１１３が載置された原稿の向きを検出し（Ｓ１０６）、検出した向きがＳＥＦ向きであるか否かを判定する（Ｓ１０７）。
ステップＳ１０７の結果、ＳＥＦ向きではない場合（Ｓ１０７→Ｎｏ）、すなわち、向きがＬＥＦ向きである場合、画像処理部１０４は基本画面レイアウト処理を行う（Ｓ１０３）。その後、作成した画面表示データを表示部１２１に表示して画面表示を切り替え（Ｓ１０９）、装置管理部１０２はステップＳ１０１へ処理を戻す。
【００２７】
ステップＳ１０７の結果、ＳＥＦ向きである場合（Ｓ１０７→Ｙｅｓ）、画像処理部１０４はＳＥＦ載置専用の画面レイアウト作成処理を行い（Ｓ１０８）、作成したＳＥＦ専用の画面表示データを表示部１２１に表示して画面表示を切り替え（Ｓ１０９）、装置管理部１０２はステップＳ１０１へ処理を戻す。なお、ステップＳ１０８の処理の詳細は、図７を参照して後記する。
【００２８】
なお、本実施形態では、処理ループ毎に基本画面レイアウトを作成しているが、これに限らず、通常は基本画面の状態にしておき、ＳＥＦ向きが検出された場合のみステップＳ１０８の処理を行うようにしてもよい。
【００２９】
図７は、本実施形態に係る画面レイアウト処理（Ｓ１０３，Ｓ１０８）の流れを示すフローチャートである。
まず、画像処理部１０４は、各階層における画面表示用デ一タを記憶するためのメモリ領域を記憶部１０５に確保して、そのメモリ領域をクリア（Ｓ２０１）し、図５に示す表示階層情報テーブル１３１の該当する列のデータを上から順に参照して、以下のステップＳ２０２〜Ｓ２０６の処理を行う。
画像処理部１０４は、全複写設定ボタンのレイアウトが完了したか否かを判定する（Ｓ２０２）。つまり、画像処理部１０４は、表示階層情報テーブル１３１の該当する列のすべてのデータを参照したか否かを判定する。
ステップＳ２０２の結果、全複写設定ボタンのレイアウトが完了している場合（Ｓ２０２→Ｙｅｓ）、装置管理部１０２は、図６のステップＳ１０９へ処理をリターンする。
ステップＳ２０２の結果、全複写設定ボタンのレイアウトが完了していない場合（Ｓ２０２→Ｎｏ）、画像処理部１０４は、表示階層情報テーブル１３１から該当する複写設定項目ボタンの表示階層情報を取得する（Ｓ２０３）。
【００３０】
そして、画像処理部１０４は、取得した表示階層情報が第１階層であるか否かを判定する（Ｓ２０４）。
ステップＳ２０４の結果、第１階層である場合（Ｓ２０４→Ｙｅｓ）、画像処理部１０４は、第１階層表示画面用のメモリ領域上にボタンを配置して（Ｓ２０５）、ステップＳ２０２へ処理を戻す。
ステップＳ２０４の結果、第１階層ではない場合（Ｓ２０４→Ｎｏ）、すなわち、取得した表示階層情報が第２階層である場合、画像処理部１０４は、第２階層表示画面用のメモリ領域上にボタンを配置して（Ｓ２０６）、ステップＳ２０２へ処理を戻す。
【００３１】
（第１実施形態の効果）
第１実施形態によれば、原稿がＳＥＦ載置されたことを検出した時に、この原稿の向きに依存する画像処理条件を優先表示することにより、それらの条件が容易に設定でき、使い勝手を向上させることができる。
【００３２】
《第２実施形態》
次に、図８〜図１１を参照して本発明に係る第１実施形態を説明する。なお、第２実施形態において、第１実施形態と同様の要素に対しては、同一の符号を付して説明を省略する。また、第１実施形態と同様の要素に対しては、適宜図示を省略する。
第２実施形態では、原稿が載置された場所に従って表示画面を切り替えることを特徴とする。
【００３３】
（機能ブロック図）
図８は、第２実施形態に係る画像処理装置の機能ブロック図の例である。
画像処理装置１００ａが、図１に示す画像処理装置１００と異なる点は、第１の原稿載置台に載置された原稿情報を読み取る第１原稿読取部（第１原稿読込部）４１０と、第２の原稿載置台に載置された原稿情報を読み取る第２原稿読取部（第２原稿読込部）４２０の２つの原稿読取部を有している点である。
第１原稿読取部４１０は、原稿の有無を検出する第１有無検出部（第１原稿有無検出部）４１１と、原稿のサイズを検出する第１サイズ検出部４１２と、原稿の向きを検出する第１向き検出部（第１原稿向き検出部）４１３を有する。
同様に、第２原稿読取部４２０は、原稿の有無を検出する第２有無検出部（第２原稿有無検出部）４２１と、原稿のサイズを検出する第２サイズ検出部４２２と、原稿の向きを検出する第２向き検出部（第２原稿向き検出部）４２３を有する。
また、記憶部１０５ａには、図１０において後記する表示階層情報テーブル１３１ａが格納されている。
なお、２つの原稿読取部４１０，４２０のうち、いずれか一方は、１枚単位で原稿を読み取るプラテンガラスであり、他方は連続して原稿を読み取るＡＤＦであることをそれぞれ想定している。
【００３４】
なお、各部１０２，１０４，４１０，４１１〜４１３，４２０，４２１〜４２３は、図示しないＲＯＭなどに格納されたプログラムが、ＲＡＭに展開され、ＣＰＵによって実行されることによって具現化する。
【００３５】
図９は、第２実施形態に係る表示画面の例を示す図である。
図９（ａ）における表示画面５０１は、ＡＤＦに原稿がＬＥＦ向きにて載置された場合に表示される第１階層画面を示している。表示画面５０１には、基本的な複写設定項目に加え、両面ボタン５１１が表示されている。ここで、両面とは、原稿の両面読み取りや記録紙への両面印刷を意味し、ＡＤＦは原稿の両面を読み取ることが可能であることから、画像処理装置１００ａは両面に画像が配置された可能性を推測して両面ボタン５１１を第１階層に優先表示する。あるいは、ＡＤＦは複数枚の原稿を連続して読み取ることが可能であることから、画像処理装置１００ａは記録紙（媒体）の両面に印刷する可能性を推測して、両面ボタン５１１を第１階層に優先表示する。なお、図９（ｂ）における表示画面５０２は、表示画面５０１に表示されている応用機能ボタン５１２が押下された結果表示される画面である。
【００３６】
図９（ｃ）に示す表示画面５０３は、ＡＤＦに原稿がＳＥＦ向きにて載置された場合に表示される第１階層画面を示している。表示画面５０３には、表示画面５０１に表示されているボタンに加え、Ｎｕｐボタン５２１が表示されている。前記したように、Ｎｕｐとは、複数枚の原稿を読み取って、１枚の記録紙上にＮ個分の画像を順番に配置して複写する機能である。図９（ｃ）では、意図した通りの順番に画像を配置するための条件として、画像処理装置１００ａが原稿がＳＥＦ向きに載置される可能性を推測して、Ｎｕｐボタン５２１を第１階層に優先表示させている。
【００３７】
図９（ｄ）に示す表示画面５０４は、表示画面５０３に表示されている応用機能ボタン５２２が押下されると表示される画面である。表示画面５０４において、図９（ｂ）に示す表示画面５０２との差異は、第１階層に表示されているＮｕｐボタン５２１が表示されていないことである。
【００３８】
図９（ｅ）に示す表示画面５０５は、プラテンガラスに原稿がＬＥＦ向きにて載置された場合に表示される第１階層画面を示している。表示画面５０５には、表示画面５０１における両面ボタン５１１の代わりに継続読取ボタン５３１が表示されている。継続読取とは、複数回に分けて読み取った原稿を１つの原稿束として複写する機能である。図９（ｅ）では、プラテンガラスからの読み取りは１枚単位であることから、画像処理装置１００ａは後続読取が行われる可能性を推測して継続読取ボタン５３１を第１階層に優先表示させている。
図９（ｆ）に示す表示画面５０６は、表示画面５０５における応用機能ボタン５３２が押下されることにより表示される第２階層画面である。表示画面５０６では、第１階層において優先表示されている継続読取ボタン５３１が表示されていない。
【００３９】
図９（ｇ）に示す表示画面５０７は、プラテンガラスに原稿がＳＥＦ向きにて載置された場合に表示される第１階層画面を示している。表示画面５０７では、表示画面５０５で表示されている各ボタンに加えて、見開きボタン５４１が優先的に表示されている。これは、ＳＥＦ向きにて利用可能となる見開き原稿が載置される可能性があることを画像処理装置１００ａが推測したためである。
図９（ｈ）に示す表示画面５０８は、表示画面５０７における応用機能ボタン５４２が押下されることにより表示される第２階層画面である。表示画面５０８では、第１階層において優先表示されている見開きボタン５４１が表示されていない。
【００４０】
（表示階層情報テーブル）
図１０は、第２実施形態に係る表示階層情報テーブルの例を示す図である。
表示階層情報テーブル１３１ａにおいて、図５に示す表示階層情報テーブル１３１と異なる点は、表示階層情報が、第１原稿読取部４１０（図８）であるプラテンガラス上への載置と、第２原稿読取部４２０（図８）であるＡＤＦ上への載置毎に、ＬＥＦ載置における画面およびＳＥＦ載置における画面の階層情報が格納されている点である。
例えば、「Ｎｕｐ」ボタンはＡＤＦ上でＳＥＦ載置された場合には、第１階層に表示されるが、それ以外の場合には第２階層に表示される。また、「見開き」ボタンはプラテンガラス上でＳＥＦ載置された場合には、第１階層に表示されるが、それ以外の場合には第２階層に表示される。
【００４１】
（フローチャート）
次に、図８を参照しつつ、図１１に沿って第２実施形態に係る原稿読取処理の説明を行う。
【００４２】
図１１は、第２実施形態に係る原稿読取処理の流れを示すフローチャートである。なお、図１１に示す処理では、第１原稿読取部（プラテンガラス）４１０と第２原稿読取部（ＡＤＦ）４２０の双方に原稿が載置されていた場合には、第２原稿読取部４２０に載置された原稿を優先しているが、これに限らず、第１原稿読取部４１０に載置された原稿を優先してもよい。
また、図１１に示す処理は、画像処理装置１００ａの電源がＯＮになると同時に開始され、電源がＯＦＦになると終了するものである。
【００４３】
まず、第２原稿読取部（ＡＤＦ）４２０の第２有無検出部４２１が、原稿台上の原稿有無を検出し（Ｓ３０１）、第２原稿読取部４２０に原稿が載置されているか否かを判定する（Ｓ３０２）。
ステップＳ３０２の結果、第２原稿読取部４２０に原稿が載置されている場合（Ｓ３０２→Ｙｅｓ）、第２サイズ検出部４２２が載置された原稿サイズを検出し（Ｓ３０３）、検出された原稿サイズが定形サイズであるか否かを判定する（Ｓ３０４）。
【００４４】
ステップＳ３０４の結果、載置された原稿が定形サイズではない場合（Ｓ３０４→Ｎｏ）、すなわち、載置された原稿が不定形サイズの場合、利用可能な複写機能が制限されることから、画像処理部１０４は基本画面レイアウト作成処理を行う（Ｓ３０５）。その後、画像処理部１０４は、作成した画面表示データを表示部１２１に表示して画面表示を切り替え（Ｓ３１０）、装置管理部１０２はステップＳ３０１へ処理を戻す。なお、基本画面は図４（ａ），（ｂ）に示す画面と同様であり、ステップＳ３０５の処理は、画像処理部１０４が図示しない基本画面階層情報テーブル（図３の「基本」列と同様の情報が格納されている）を使用して、図７と同様の処理を行うことにより実行される。
ステップＳ３０４の結果、原稿が定形サイズの場合（Ｓ３０４→Ｙｅｓ）、第２向き検出部４２３が載置された原稿の向きを検出し（Ｓ３０６）、その向きがＳＥＦ向きであるか否かを判定する（Ｓ３０７）。
ステップＳ３０７の結果、ＳＥＦ向きであった場合（Ｓ３０７→Ｙｅｓ）、画像処理部１０４が、表示階層情報テーブル１３１ａの「第２原稿読取部４２０であるＡＤＦ上へのＳＥＦ載置」列を参照して、第２原稿読取部４２０へのＳＥＦ載置用の画面レイアウト作成処理を行う（Ｓ３０８）。ステップＳ３０８の処理は、図７の処理と同様であるため説明を省略する。
ステップＳ３０８の後、画像処理部１０４は、作成した画面表示データを表示部１２１に表示して画面表示を切り替え（Ｓ３１０）、装置管理部１０２はステップＳ３０１へ処理を戻す。
【００４５】
ステップＳ３０７の結果、ＳＥＦ向きではない場合（Ｓ３０７→Ｎｏ）、すなわち、向きがＬＥＦ向きであった場合、画像処理部１０４が、表示階層情報テーブル１３１ａの「第２原稿読取部４２０であるＡＤＦ上へのＬＥＦ載置」列を参照して、第２原稿読取部４２０へのＬＥＦ載置用の画面レイアウト作成処理を行う（Ｓ３０９）。ステップＳ３０９の処理は、図７の処理と同様であるため説明を省略する。
ステップＳ３０９の後、作成した画面表示データを表示部１２１に表示して画面表示を切り替え（Ｓ３１０）、装置管理部１０２はステップＳ３０１へ処理を戻す。
【００４６】
ステップＳ３０２の結果、第２原稿読取部４２０に原稿が載置されていない場合（Ｓ３０２→Ｎｏ）、第１原稿読取部（プラテンガラス）４１０の第１有無検出部４１１が、原稿台上の原稿有無を検出し（Ｓ３１１）、第１原稿読取部４１０に原稿が載置されているか否かを判定する（Ｓ３１２）。
ステップＳ３１２の結果、第１原稿読取部４１０にも原稿が載置されていない場合（Ｓ３１２→Ｎｏ）、第２原稿読取部４２０および第１原稿読取部４１０の双方に原稿が載置されていないことになるため、画像処理部１０４は基本画面レイアウト作成処理を行う（Ｓ３１３）。その後、画像処理部１０４は作成した画面表示データを表示部１２１に表示して画面表示を切り替え（Ｓ３１０）、装置管理部１０２はステップＳ３０１へ処理を戻す。なお、ステップＳ３１３の処理はステップＳ３０５と同様であるため説明を省略する。
【００４７】
ステップＳ３１２の結果、第１原稿読取部４１０に原稿が載置されている場合（Ｓ３１２→Ｙｅｓ）、第１サイズ検出部４１２が載置された原稿サイズを検出し（Ｓ３１４）、検出した原稿サイズが定形サイズであるか否かを判定する（Ｓ３１５）。
ステップＳ３１５の結果、原稿サイズが定形サイズでない場合（Ｓ３１５→Ｎｏ）、すなわち、載置された原稿が不定形サイズの場合、利用可能な複写機能が制限されることから、画像処理部１０４は基本画面レイアウト作成処理を行う（Ｓ３１３）。その後、画像処理部１０４は作成した画面表示データを表示部１２１に表示して画面表示を切り替え（Ｓ３１０）、装置管理部１０２はステップＳ３０１へ処理を戻す。
【００４８】
ステップＳ３１５の結果、載置された原稿が定形サイズの場合（Ｓ３１５→Ｙｅｓ）、第１向き検出部４１３が載置された原稿の向きを検出し（Ｓ３１６）、その向きがＳＥＦ向きであるか否かを判定する（Ｓ３１７）。
ステップＳ３１７の結果、ＳＥＦ向きの場合（Ｓ３１７→Ｙｅｓ）、画像処理部１０４が、表示階層情報テーブル１３１ａの「第１原稿読取部４１０であるプラテンガラス上へのＳＥＦ載置」列を参照して、第１原稿読取部４２０へのＳＥＦ載置用の画面レイアウト作成処理を行う（Ｓ３１８）。ステップＳ３１８の処理は、図７の処理と同様であるため説明を省略する。
ステップＳ３１８の後、画像処理部１０４は、作成した画面表示データを表示部１２１に表示して画面表示を切り替え（Ｓ３１０）、装置管理部１０２はステップＳ３０１へ処理を戻す。
【００４９】
ステップＳ３１７の結果、ＳＥＦ向きではない場合（Ｓ３１７→Ｎｏ）、すなわち、向きがＬＥＦ向きであった場合、画像処理部１０４が、表示階層情報テーブル１３１ａの「第１原稿読取部４１０であるプラテンガラス上へのＬＥＦ載置」列を参照して、第１原稿読取部４２０へのＬＥＦ載置用の画面レイアウト作成処理を行う（Ｓ３１９）。ステップＳ３１９の処理は、図７の処理と同様であるため説明を省略する。
ステップＳ３１９の後、作成した画面表示データを表示部１２１に表示して画面表示を切り替え（Ｓ３１０）、装置管理部１０２はステップＳ３０１へ処理を戻す。
【００５０】
（第２実施形態の効果）
第２実施形態によれば、原稿が載置されたことを検出した時に、載置された場所と原稿の向きに依存する画像処理条件を優先表示することにより、載置場所の特徴を活かす条件が容易に設定でき、さらに使い勝手を向上させることができる。
【００５１】
本実施形態における画像処理装置１００，１００ａは、複合機能を有するの複写機を想定して説明したが、これに限らず、画像形成装置、複合機能を有しない複写機、ファクシミリ装置、スキャナ装置においても、本実施形態の画像処理装置１００，１００ａを適用することができる。
なお、本実施形態では、表示部１２１に表示される表示画面の階層を２としたが、２以外でもよいことは当然である。
また、本実施形態では、表示階層情報テーブル１３１，１３１ａに含まれる表示階層情報を原稿の向き、原稿読込部の種類（ＡＤＦ、プラテンガラス）によって区別しているが、これらに加えて、サイズ検出部１１２（第１サイズ検出部４１２、第２サイズ検出部４２２）によって検出された原稿のサイズによる区別を加えてもよい。
【符号の説明】
【００５２】
１００，１００ａ  画像処理装置
１０２  装置管理部（処理部）
１０３  印刷部
１０４  画像処理部（処理部）
１０５，１０５ａ  記憶部
１１０  原稿読取部（原稿読込部）
１１１  有無検出部
１１２  サイズ検出部
１１３  向き検出部（原稿向き検出部）
１２０  操作パネル部
１２１  表示部
１２２  操作部
１３１，１３１ａ  表示階層情報テーブル（画像処理条件情報）
１５１  読取ユニット
１５２  印刷ユニット
１５３  操作パネルユニット
１５５  表示ユニット
２００  プラテンガラス（原稿載置台）
２０１  ガラス部
２０２  読取センサ
２０３〜２０５  原稿検出センサ
３０１〜３０４，５０１〜５０８  表示画面
４１０  第１原稿読取部（第１原稿読込部）
４１１  第１有無検出部（第１原稿有無検出部）
４１２  第１サイズ検出部
４１３  第１向き検出部（第１原稿向き検出部）
４２０  第２原稿読取部（第２原稿読込部）
４２１  第２有無検出部（第２原稿有無検出部）
４２２  第２サイズ検出部
４２３  第２向き検出部（第２原稿向き検出部）
【図１】
2011097228.tif 000003
【図２】
2011097228.tif 000004
【図３】
2011097228.tif 000005
【図４】
2011097228.tif 000006
【図５】
2011097228.tif 000007
【図６】
2011097228.tif 000008
【図７】
2011097228.tif 000009
【図８】
2011097228.tif 000010
【図９】
2011097228.tif 000011
【図１０】
2011097228.tif 000012
【図１１】
2011097228.tif 000013